(57)【要約】【課題】本考案は電圧タイミング制御装置と電源供給装置に関するものである。【解決手段】電圧タイミング制御装置は一般的なＡＴＸ電源供給装置に設置され、選択される設定によって一般的なＡＴＸ電源供給装置でのタイミングを制御し、ＪＶＳ電圧タイミングに合わせてＪＶＳ電圧仕様の装置を提供し使用する。電圧タイミング制御装置は第一制御回路と第二制御回路を含み、第一制御回路は第一の時点に第一電源転換ユニットを動作可能にさせることを制御し、第四の時点で前記第一電源転換ユニットを動作可能にさせない。第二制御回路は第二の時点に第二電源転換ユニットを動作可能にさせることを制御し、第三の時点で前記第二電源転換ユニットを動作可能にさせない。【選択図】    図３
0003148405.tif 000002
【実用新案登録請求の範囲】
【請求項１】
２個の電源転換ユニットの出力電圧タイミングを制御するための電圧タイミング制御装置において、
第一の時点に第一電源転換ユニットを動作開始させるように制御し、第四の時点で前記第一電源転換ユニットを動作停止させるように制御する第一制御回路と、
第二の時点に第二電源転換ユニットを動作開始させるように制御し、第三の時点で前記第二電源転換ユニットを動作停止させるように制御する第二制御回路と、
前記第一制御回路と前記第二制御回路に接続し、ベース電圧を受信し第一分圧と第二分圧を提供する分圧回路と、
を含むことを特徴とする電圧タイミング制御装置。
【請求項２】
第一制御回路はさらに、
陽極端及び陰極端を有し、陽極端が前記分圧回路に接続するダイオードと、
前記ダイオードの陰極端に接続し、前記ダイオードにより前記第一分圧を受信するＲＣ回路と、を含み、
第二制御回路はさらに、
第一入力端、第二入力端及び出力端からなる第一比較装置を含み、第一比較装置の第一入力端は臨界電圧を受信し、第一比較装置の第二入力端は前記分圧回路に接続され前記第二分圧を受信し、前記第一比較装置の出力端は第一比較結果信号を出力することを特徴とする請求項１に記載の電圧タイミング制御装置。
【請求項３】
前記分圧回路に接続され前記ベース電圧がゼロになった後に、前記第二電源転換ユニットを動作停止させるように制御する強制動作停止回路を含み、
前記強制動作不可の回路はさらに、
第一入力端、第二入力端及び出力端からなる第二比較装置であって、第二比較装置の第一入力端は前記第二分圧を受信し、第二比較装置の第二入力端は臨界電圧を受信し、第二比較装置の出力端は第二比較装置の結果信号を出力する第二比較装置と、
ベース端、エミッター端、コレクタ端からなるトランジスタであって、前記トランジスタのベース端は前記第二比較装置の出力端と前記ベース電圧に接続され、前記トランジスタのエミッター端は前記第二電源転換ユニットの出力端に接続されるトランジスタと、
前記トランジスタのコレクタ端とアース端に接続される負荷抵抗器と、を含むことを特徴とする請求項２に記載の電圧タイミング制御装置。
【請求項４】
商用電源を受信しベース電圧を出力するための交流／直流転換ユニットと、
前記交流／直流転換ユニットに接続され前記ベース電圧によって第一電圧を出力する第一電源転換ユニットと、
前記交流／直流転換ユニットに接続され前記ベース電圧によって第二電圧を出力する第二電源転換ユニットと、
前記第一電源転換ユニットに接続され、第一の時点で第一電源転換ユニットを動作開始させるように制御し、第四の時点で前記第一電源転換ユニットを動作停止させるように制御する第一制御回路と、
前記第二電源転換ユニットに接続され、第二の時点で第二電源転換ユニットを動作開始させるように制御し、第三の時点で前記第二電源転換ユニットを動作停止させるように制御する第二制御回路と、
前記交流／直流転換ユニット、前記第一制御回路、第二制御回路に接続され、前記ベース電圧を受信し第一分圧と第二分圧を提供する分圧回路と、
を含むことを特徴とする電圧タイミング制御を有する電源供給装置。
【請求項５】
前記分圧回路に接続され前記ベース電圧がゼロになった後に、前記第二電源転換ユニットを動作停止させるように制御する強制動作停止回路を含み、
前記強制動作停止回路はさらに、
第一入力端、第二入力端及び出力端からなる第二比較装置であって、前記第二比較装置の第一入力端は前記第二分圧を受信し、前記第二比較装置の第二入力端は臨界電圧を受信し、前記第二比較装置の出力端は第二比較結果信号を出力する第二比較装置と、
ベース端、エミッター端、コレクタ端からなるトランジスタであって、前記トランジスタのベース端は前記第二比較装置の出力端と前記ベース電圧に接続され、前記トランジスタのエミッター端は前記第二電源転換ユニットの出力端に接続されるトランジスタと、
前記トランジスタのコレクタ端とアース端に接続される負荷抵抗器と、
を含むことを特徴とする請求項４に記載の電圧タイミング制御を有する電源供給装置。
【考案の詳細な説明】
【技術分野】
【０００１】
本考案は電源供給装置の出力電圧タイミングを制御する制御装置及びそれを応用した電源供給装置である。
【背景技術】
【０００２】
「大型テレビゲーム」の基板原動力と市場の電子機器製品すべては、電力エネルギーを使用し、ほとんどの「大型テレビゲーム」の電圧規格はＪＶＳ電圧仕様の装置である。ＪＶＳの電圧仕様の各電圧規格は、３.３Ｖ、５Ｖと１２Ｖの電圧を含み、これらの電圧規格と一般の個人用パソコンが使用するＡＴＸ電圧規格は全く同じである。
【０００３】
このため、ゲームプレイヤーは個人用パソコンが使用するＡＴＸ電源供給装置の電圧出力コネクターを改良し、ＪＶＳが用いる電源供給装置となるようＪＶＳ電圧仕様の大型テレビゲームに合わせて使用する。しかしながら一般的なＡＴＸ電源供給装置はＪＶＳ電圧仕様と同じで３.３Ｖ、５Ｖと１２Ｖの電圧を提供するが、これら２つが提供する電圧タイミングは異なる。
【０００４】
図１は従来のＡＴＸ電源供給装置が出力する電圧タイミングの概略図である。ＡＴＸ電源供給装置が起動すると、最初に１２Ｖの電圧を出力し、その後時間ｔ１で５Ｖの電圧を出力し、最後に時間ｔ２で３.３Ｖの電圧を出力する。ＡＴＸ電源供給装置が停止すると、最初に１２Ｖの電圧の出力を停止し、その後時間ｔ３で３.３Ｖの電圧の出力を停止し、最後に時間ｔ４で５Ｖの電圧の出力を停止する。
【０００５】
図２は従来のＪＶＳ電源供給装置が出力する電圧タイミングの概略図である。ＪＶＳ電源供給装置が起動すると、最初に１２Ｖの電圧を出力し、その後時間ｔ１で３.３Ｖの電圧を出力し、最後に時間ｔ２で５Ｖの電圧を出力する。ＪＶＳ電源供給装置が停止すると、最初に１２Ｖの電圧の出力を停止し、その後時間ｔ３で５Ｖの電圧の出力を停止し、最後に時間ｔ４で３.３Ｖの電圧の出力を停止する。
【０００６】
前述のとおり、ＡＴＸ電源供給装置とＪＶＳの電源供給装置の出力電圧仕様は同じものであるが、これら２つが提供する電圧タイミングは異なる。このため、ゲームプレイヤーがＡＴＸ電源供給装置の電圧でＪＶＳ電圧仕様の装置を使用すると、電圧タイミングの差異により、ＪＶＳ電圧仕様の装置が焼けて破壊されるおそれがある。
【０００７】
よって一般的なＡＴＸ電源供給装置を改良し、ＡＴＸ電圧タイミングを個人用パソコンに提供して使用するだけでなく、ＪＶＳ電圧タイミングを大型テレビゲームにも提供して使用するというものが、現在のゲームプレイヤーが最も切実に求めている考案である。
【考案の開示】
【考案が解決しようとする課題】
【０００８】
以上をふまえ、本考案は電圧タイミング制御装置及び電源供給装置を提供する。本考案による電圧タイミング制御装置は、一般的なＡＴＸ電源供給装置に設置され、選択される信号によって一般的なＡＴＸ電源供給装置での出力電圧のタイミングを制御し、ＡＴＸ電圧タイミングを提供するだけでなく、ＪＶＳ電圧タイミングに合わせてＪＶＳ電圧仕様の装置を提供し使用する。
【課題を解決するための手段】
【０００９】
本考案にかかる電圧タイミング制御装置は、２個の電源転換ユニットの出力電圧タイミングを制御するための電圧タイミング制御装置において、第一制御回路と第二制御回路とを含む。前記第一制御回路は、第一の時点に第一電源転換ユニットを動作開始させるように制御し、第四の時点で前記第一電源転換ユニットを動作停止させるように制御する。前記第二制御回路は、第二の時点に第二電源転換ユニットを動作開始させるように制御し、第三の時点間で前記第二電源転換ユニットを動作停止させるように制御する。
【００１０】
さらに、本考案にかかる電圧タイミング制御を有する電源供給装置は第一電源転換ユニットと、第二電源転換ユニットと、第一制御回路と、第二制御回路を含む。第一電源転換ユニットはベース電圧によって第一電圧を出力する。第二電源転換ユニットはベース電圧によって第二電圧を出力する。第一制御回路は第一電源転換ユニットに接続され、第一の時点に第一電源転換ユニットを動作開始させることを制御し、第四の時点に前記第一電源転換ユニットを動作停止させる。第二制御回路は第二電源転換ユニットに接続され、第二の時点に第二電源転換ユニットを動作開始させることを制御し、第三の時点に前記第二電源転換ユニットを動作停止させる。
【００１１】
以上述べたように、本考案の電圧タイミング制御装置は選択される信号によって、ＪＶＳ電圧タイミングに合わせてＡＴＸ電源供給装置の出力電圧タイミングを制御し、電圧タイミングの差異により引き起こされるＪＶＳ電圧仕様の装置を破壊する問題を解決する。さらに電圧タイミング制御装置が動作しないときは、ＡＴＸ電源供給装置はＡＴＸ電圧タイミングを個人用パソコンに提供し使用することもできる。
【００１２】
以上の概要及び以下に続く説明は、本考案の実用新案登録請求の範囲をより詳細に説明するための実施例の説明に過ぎない。さらに本考案のその他目的及び優れた点に関し、後述の説明と図によって詳細に説明する。
【考案を実施するための最良の形態】
【００１３】
図３は、本考案の好ましい実施例の電源供給装置の機能概略図である。電源供給装置１は、交流／直流転換ユニット１０、第一電源転換ユニット１２、第二電源転換ユニット１４及び電圧タイミング制御装置１６を含み、電圧タイミング制御装置１６は第一制御回路１６０と第二制御回路１６２を含む。交流／直流転換ユニット１０は第一電源転換ユニット１２、第二電源転換ユニット１４及び電圧タイミング制御装置１６に接続され、商用電源ＡＣを受信し、ベース電圧ＶＢを第一電源転換ユニット１２、第二電源転換ユニット１４及び電圧タイミング制御装置１６に出力する。同時に、第一電源転換ユニット１２はベース電圧ＶＢを転換して第一電圧ＶＯ１とし、第二電源転換ユニット１４はベース電圧ＶＢを転換して第二電圧ＶＯ２とする。さらに、電圧タイミング制御装置１６は第一電源転換ユニット１２と第二電源転換ユニット１４に接続され、電圧タイミング制御装置１６は選択信号ＳＣを受信し、選択信号ＳＣの高低レベルに応じて動作開始と動作停止とを制御する。
【００１４】
図１と３が示すように、選択信号ＳＣによって電圧タイミング制御装置１６が動作しないように制御するとき、電源供給装置は一般的な従来のＡＴＸ電源供給装置となる。このように、電源供給装置１の起動後、交流／直流転換ユニット１０は、最初に１２Ｖのベース電圧ＶＢを出力し、その後第二電源転換ユニット１４は１２Ｖのベース電圧ＶＢにより時点ｔ１で５Ｖの第二電圧ＶＯ２を出力し、最後に第一電源転換ユニット１２は時点ｔ２で３.３Ｖの第一電圧ＶＯ１を出力する。また、電源供給装置１の停止後、交流／直流転換ユニット１０は、最初に１２Ｖのベース電圧ＶＢの出力を停止し、その後第二電源転換ユニット１４は時点ｔ３で５Ｖの第二電圧ＶＯ２の出力を停止し、最後に第一電源転換ユニット１２は時点ｔ４で３.３Ｖの第一電圧ＶＯ１の出力を停止する。
【００１５】
図２と図３が示すように、選択信号ＳＣによって電圧タイミング制御装置１６が動作するように制御するとき、電圧タイミング制御装置１６は第一電源転換ユニット１２と第二電源転換ユニット１４の出力電圧の順序を制御し、ＪＶＳ電圧仕様に合わせて電源供給装置１の出力電圧を使用し、ＪＶＳ電源供給装置となる。このように、電源供給装置１の起動後、交流／直流転換ユニット１０は最初に１２Ｖのベース電圧ＶＢを出力し、その後電圧タイミング制御装置１６の第一制御回路１６０は第一の時点ｔ１で第一電源転換ユニット１２を動作開始させるように制御し、３.３Ｖの第一電圧ＶＯ１を出力する。また、電圧タイミング制御装置１６の第二制御回路１６２は第二の時点ｔ２で第二電源転換ユニット１４を動作開始させるように制御し、５Ｖの第二電圧ＶＯ２を出力する。
【００１６】
さらに、電源供給装置１の停止後、交流直流／転換ユニット１０は最初に１２Ｖのベース電圧ＶＢの出力を停止し、その後電圧タイミング制御装置１６の第二制御回路１６２は、第３の時点ｔ３で第二電源転換ユニット１４を動作停止するよう制御し、５Ｖの第二電圧ＶＯ１の出力を停止する。その後続いて制御回路１６の第一制御回路１６０は第四の時点ｔ４で第一電源転換ユニット１２を動作停止するよう制御し、３.３Ｖの第一電圧ＶＯ１を停止する。
【００１７】
図４は本考案の電圧タイミング制御装置に関する回路の概略図である。電圧タイミング制御装置１６は第一制御回路１６０と第二制御回路１６２に加えて分圧回路１６４を含む。分圧回路１６４は交流／直流転換ユニット１０からベース電圧ＶＢを受信し、ベース電圧ＶＢによって第一分圧Ｖ１と第二分圧Ｖ２を提供する。
【００１８】
また図４に示すように、第一制御回路１６０はダイオードＤ９とキャパシティーＣ５５を含み、抵抗器Ｒ５５及び抵抗器Ｒ５６はＲＣ回路を構成し、ダイオードＤ９の陽極端は分圧回路１６４を接続し、ダイオードＤ９の陰極端はＲＣ回路に接続される。ＲＣ回路はダイオードＤ９を通じて分圧回路１６４から第一分圧Ｖ１を受信する。さらに第二制御回路１６２は第一比較装置Ｕ１を含み、前記第一比較装置Ｕ１は第一入力端、第二入力端及び一つの出力端を有し、前記第一比較装置Ｕ１の第一入力端は臨界電圧Ｖｔｈを受信し、前記第一比較装置Ｕ１の第二入力端は分圧回路１６４を接続し、分圧回路１６４から第二分圧Ｖ２を受信し、第一比較装置Ｕ１は臨界電圧Ｖｔｈと第二分圧Ｖ２を比較してから、出力端からこの第一比較結果信号Ｓ１を出力する。
【００１９】
また図４に示すように、電源供給装置１の起動後、かつ電圧タイミング制御装置１６が受信する選択信号ＳＣが高レベル（ｈｉｇｈ  ｌｅｖｅｌ）であるとき、高レベルの選択信号ＳＣは抵抗器Ｒ１０１、Ｒ３２およびトランジスタＱ１７が構成する回路Ａを経由し、交流／直流転換ユニット１０を起動する上、１２Ｖのベース電圧ＶＢを出力し、そのうえで第一電源転換ユニット１２を動作開始させるように制御する。同時に高レベルの選択信号ＳＣは抵抗器Ｒ１２２、Ｒ６４の分圧を経由し、抵抗器Ｒ６４において臨界電圧Ｖｔｈを生成する。同時に、第一制御回路１６０のＲＣ回路は充電を行い、抵抗器Ｒ５６の電圧Ｖ３はＲＣ回路を経て第一分圧Ｖ１以上高く充電する前に、第二分圧Ｖ２は臨界電圧Ｖｔｈより小さくなる。こうして、第二制御回路１６２の第一比較装置Ｕ１が出力する第一比較結果信号Ｓ１は低レベル（ｌｏｗ  ｌｅｖｅｌ）となる。さらに低レベルの第一比較結果信号Ｓ１は、第二電源転換ユニット１２を動作停止させるように制御し、５Ｖの第二電圧ＶＯ２の出力を停止する。ＲＣ回路が充電を完了すると、第二分圧Ｖ２は臨界電圧Ｖｔｈ以上であるとき第二制御回路１６２の第一比較装置Ｕ１が出力する第一比較結果信号Ｓ１は高レベル(ｈｉｇｈ  ｌｅｖｅｌ)になる。さらに高レベルの第一比較結果信号Ｓ１は、第二電源転換ユニット１２を動作開始させるように制御し、５Ｖの第二電圧ＶＯ２を出力する。
【００２０】
図２が示すように、電圧タイミング制御装置１６が選択信号ＳＣを受信して動作すると、電圧タイミング制御装置１６の第一制御回路１６０は第一の時点ｔ１で第一電源転換ユニット１２を動作開始させるように制御し、３.３Ｖの第一電圧ＶＯ１を出力する。その後、電圧タイミング制御装置１６の第二制御回路１６２は第二の時点ｔ２で第二電源転換ユニット１４を動作開始させるように制御し、５Ｖの第二電圧ＶＯ２を出力する。前述の第一の時点ｔ１と第二の時点ｔ２の間の時間は、第一制御回路１６０のＲＣ回路によって調整される。
【００２１】
また図４に示すように、電圧タイミング制御装置１６は第一制御回路１６０、第二制御回路１６２及び分圧回路１６４に加えて強制動作停止回路１６６を含み、強制動作停止回路１６６は分圧回路１６４に接続され、ベース電圧ＶＢがゼロになると第二電源転換ユニット１６２を動作停止となるよう制御する。強制動作停止回路１６６は第二比較装置Ｕ２、トランジスタＱ１５及び負荷抵抗器Ｒ１１９を含む。第二比較装置Ｕ２の第一入力端は分圧回路１６４から第二分圧Ｖ２を受信し、第二比較装置Ｕ２の第二入力端は抵抗器Ｒ６４から臨界電圧Ｖｔｈを受信する。第二比較装置Ｕ２は第二分圧Ｖ２と臨界電圧Ｖｔｈを比較してから、出力端から第二比較結果信号Ｓ２を出力する。また、トランジスタＱ１５のベース端は第二比較装置Ｕ２の出力端とベース電圧ＶＢに接続され、前記トランジスタＱ１５のエミッター端は第二電源転換ユニット１４の出力端に接続される。負荷抵抗器Ｒ１１９はトランジスタＱ１５のコレクタ端とアース端に接続される。
【００２２】
図４が示すように、電源供給装置１が停止すると、ベース電圧ＶＢは最初にゼロになるが、第一電源転換ユニット１２は動作可能な状態に維持し、３.３Ｖの第一電圧ＶＯ１を一定時間出力し続ける。同時にベース電圧ＶＢがゼロになると抵抗器Ｒ６４の臨界電圧Ｖｔｈは第二分圧Ｖ２以上となる。このとき、第二比較装置Ｕ２は低レベルの第二比較結果信号Ｓ２を出力し、トランジスタＱ１５を導通するよう制御する。さらに導通されたトランジスタＱ１５はダミー負荷Ｒ１１９が第二電源転換ユニット１４に接続する出力を提供し、第二電源転換ユニット１４が出力する５Ｖの第二電圧ＶＯ２をすばやく下げる。
【００２３】
電源供給装置１が停止すると、電圧タイミング制御装置１６の第二制御回路１６２は第３の時点ｔ３で第二電源転換ユニット１４を動作停止させるように制御し、５Ｖの第二電圧ＶＯ２の出力を停止する。その後、第一制御回路１６０は第４の時点ｔ４で第一電源転換ユニット１２を動作可能にさせないよう制御し、３.３Ｖの第一電圧ＶＯ１を停止する。このように選択信号ＳＣは電圧タイミング制御装置１６の動作(ｅｎａｂｌｅ)を制御すると、電圧タイミング制御装置１６は第一電源転換ユニット１２と第二電源転換ユニット１４の出力電圧順序を制御し、ＪＶＳ電圧仕様に合わせて電源供給装置１の出力電圧を使用し、ＪＶＳ電源供給装置となる。
【００２４】
さらに電圧タイミング制御装置１６が受信する選択信号ＳＣが低レベル(ｌｏｗ  ｌｅｖｅｌ)であるとき、低レベルの選択信号ＳＣは第二制御回路１６２の第二比較装置Ｕ２を動作停止させるよう制御し、このとき電源供給装置１は一般的な従来のＡＴＸ電源供給装置となる。
【００２５】
以上述べたところをまとめると、本考案の電圧タイミング制御装置は選択される信号の設定によって、ＪＶＳ電圧に合わせてＡＴＸ電源供給装置が出力する電圧タイミングを制御することを可能とし、電圧タイミングの差異により引き起こされるＪＶＳ電圧仕様の装置が焼けて破壊される問題を解決する。さらに電圧タイミング制御装置が動作しないときは、ＡＴＸ電源供給装置はＡＴＸ電圧タイミングを個人用パソコンの使用に提供することもできる。
【００２６】
上記内容は本考案の好ましい具体的実施例の詳細説明と図式に過ぎず、本考案の範囲において熟知した技術者であれば、容易に変形及び修正が可能であるが、全て本考案の特許請求範囲に含まれるものとする。        
【図面の簡単な説明】
【００２７】
【図１】従来のＡＴＸ電源供給装置が出力する電圧タイミングの概略図である。
【図２】従来のＪＶＳ電源供給装置が出力する電圧タイミングの概略図である。
【図３】本考案実施例の電源供給装置の機能概略図である。
【図４】本考案の電圧タイミング制御装置の回路概略図である。
【符号の説明】
【００２８】
１      電源供給装置
１０    交流／直流転換ユニット
１２    第一電源転換ユニット
１４    第二電源転換ユニット
１６    電圧タイミング制御装置
１６０  第一制御回路
１６２  第二制御回路
ＡＣ    交流電
ＶＢ    ベース電圧
ＶＯ１  第一電圧
ＶＯ２  第二電圧
ＳＣ    選択信号
１６４  分圧回路
Ｖ１    第一分圧
Ｖ２    第二分圧
Ｖ３    電圧
Ｖｔｈ  臨界電圧
Ｕ１    第一比較装置
Ｕ２    第二比較装置
１６６  強制動作停止回路
Ｓ１    第一比較結果信号
Ｓ２    第二比較結果信号
Ｒ１１９  ダミー負荷
Ｑ１５、Ｑ１７  トランジスタ
Ｒ１２２、Ｒ６４、Ｒ５５、Ｒ１０１、Ｒ３２  抵抗器
Ｃ５５  キャパシティー
Ｄ９    ダイオード
Ａ  回路
【図１】
0003148405.tif 000003
【図２】
0003148405.tif 000004
【図３】
0003148405.tif 000005
【図４】
0003148405.tif 000006